(57)【要約】  本発明は、端末機能取得方法および装置、コンピュータ記憶媒体を開示し、前記端末機能取得方法は、第１アクセスネットワーク機器が、第１ハンドオーバ要求メッセージを第２アクセスネットワーク機器に送信することであって、前記第１ハンドオーバ要求メッセージは、端末の第１のＵＥ機能識別情報を運ぶ、ことと、前記第２アクセスネットワーク機器が前記端末の第１のＵＥ機能識別情報を識別できる場合、前記第２アクセスネットワーク機器が、前記第１のＵＥ機能識別情報に基づいて、前記端末の第１のＵＥ機能情報を決定することと、前記第２アクセスネットワーク機器が前記端末の第１のＵＥ機能識別情報を識別できない場合、前記第２アクセスネットワーク機器が、前記第１アクセスネットワーク機器から第１のＵＥ機能情報を取得することと、を含む。
2021525978.tif 000002
【特許請求の範囲】
【請求項１】
端末機能取得方法であって、
第１アクセスネットワーク機器が、第１ハンドオーバ要求メッセージを第２アクセスネットワーク機器に送信することであって、前記第１ハンドオーバ要求メッセージは、端末の第１のＵＥ（Ｕｓｅｒ  Ｅｑｕｉｐｍｅｎｔ）機能識別情報を運ぶ、ことを含む、前記端末機能取得方法。
【請求項２】
前記第２アクセスネットワーク機器が前記端末の第１のＵＥ機能識別情報を識別できない場合、前記第１アクセスネットワーク機器が、前記第２アクセスネットワーク機器によって送信される第１フィードバックメッセージを受信することであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、ことと、
前記第１アクセスネットワーク機器が、第２ハンドオーバ要求メッセージを前記第２アクセスネットワーク機器に送信することであって、前記第２ハンドオーバ要求メッセージは、前記端末の第１のＵＥ機能情報を運ぶ、ことと、をさらに含む、
請求項１に記載の端末機能取得方法。
【請求項３】
前記第１アクセスネットワーク機器が、前記第１ハンドオーバ要求メッセージを前記第２アクセスネットワーク機器に送信する前に、前記第１アクセスネットワーク機器が、前記第２アクセスネットワーク機器が最適化された端末機能をサポートするか否かを示す機能情報を取得することと、
前記第２アクセスネットワーク機器が最適化された端末機能をサポートする場合、前記第１アクセスネットワーク機器が、前記端末の第１のＵＥ機能識別情報を前記第１ハンドオーバ要求メッセージに運ばせて、前記第２アクセスネットワーク機器に送信することと、をさらに含む、
請求項１または２に記載の端末機能取得方法。
【請求項４】
前記第２アクセスネットワーク機器が最適化された端末機能をサポートしない場合、前記第１アクセスネットワーク機器が、前記端末の第１のＵＥ機能情報を第３ハンドオーバ要求メッセージに運ばせて、前記第２アクセスネットワーク機器に送信することをさらに含む、
請求項３に記載の端末機能取得方法。
【請求項５】
前記第２アクセスネットワーク機器が前記端末の第１のＵＥ機能識別情報を識別できない場合、前記第２アクセスネットワーク機器は、ＵＥ機能要求メッセージをコアネットワーク機器または前記端末に送信し、前記コアネットワーク機器または前記端末によって送信される前記端末の第１のＵＥ機能情報を受信する、
請求項１ないし４のいずれか一項に記載の端末機能取得方法。
【請求項６】
前記第２アクセスネットワーク機器がＵＥ機能要求メッセージをコアネットワーク機器または前記端末に送信する場合、前記コアネットワーク機器または前記端末が前記端末の第１のＵＥ機能識別情報、およびＵＥ機能識別情報とＵＥ機能情報との間の対応関係に基づいて前記端末の第１のＵＥ機能情報を決定するように、前記第２アクセスネットワーク機器は、前記ＵＥ機能要求メッセージで前記端末の第１のＵＥ機能識別情報を運ぶ、
請求項５に記載の端末機能取得方法。
【請求項７】
前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する、
請求項１ないし６のいずれか一項に記載の端末機能取得方法。
【請求項８】
前記第１アクセスネットワーク機器が、前記端末によって送信される測定報告を受信し、前記測定報告に基づいて、ハンドオーバされるべき前記第２アクセスネットワーク機器を決定することをさらに含む、
請求項１ないし７のいずれか一項に記載の端末機能取得方法。
【請求項９】
端末機能取得方法であって、
第２アクセスネットワーク機器が、第１アクセスネットワーク機器によって送信される第１ハンドオーバ要求メッセージを受信することであって、前記第１ハンドオーバ要求メッセージは、端末の第１のＵＥ機能識別情報を運ぶ、ことを含む、前記端末機能取得方法。
【請求項１０】
前記第２アクセスネットワーク機器が前記端末の第１のＵＥ機能識別情報を識別できない場合、前記第２アクセスネットワーク機器が、第１フィードバックメッセージを前記第１アクセスネットワーク機器に送信することであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、ことと、
前記第２アクセスネットワーク機器が、前記第１アクセスネットワーク機器によって送信される第２ハンドオーバ要求メッセージを受信し、前記第２ハンドオーバ要求メッセージから前記端末の第１のＵＥ機能情報を取得することであって、前記第２ハンドオーバ要求メッセージは、前記端末の第１のＵＥ機能情報を運ぶ、ことと、をさらに含む、
請求項９に記載の端末機能取得方法。
【請求項１１】
前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信される前記端末の第１のＵＥ機能情報を受信することをさらに含む、
請求項９または１０に記載の端末機能取得方法。
【請求項１２】
前記第２アクセスネットワーク機器がＵＥ機能要求メッセージをコアネットワーク機器または前記端末に送信する場合、前記コアネットワーク機器または前記端末が前記端末の第１のＵＥ機能識別情報、およびＵＥ機能識別情報とＵＥ機能情報との間の対応関係に基づいて前記端末の第１のＵＥ機能情報を決定するように、前記第２アクセスネットワーク機器は、前記ＵＥ機能要求メッセージで前記端末の第１のＵＥ機能識別情報を運ぶ、
請求項１１に記載の端末機能取得方法。
【請求項１３】
前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定することをさらに含む、
請求項９ないし１２のいずれか一項に記載の端末機能取得方法。
【請求項１４】
端末機能取得装置であって、
第１ハンドオーバ要求メッセージを第２アクセスネットワーク機器に送信するように構成される第１送信ユニットであって、前記第１ハンドオーバ要求メッセージは、端末の第１のＵＥ機能識別情報を運ぶ、第１送信ユニットを備える、前記端末機能取得装置。
【請求項１５】
前記第２アクセスネットワーク機器が前記端末の第１のＵＥ機能識別情報を識別できない場合、前記第２アクセスネットワーク機器によって送信される第１フィードバックメッセージを受信するように構成される第１受信ユニットであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１受信ユニットと、
第２ハンドオーバ要求メッセージを前記第２アクセスネットワーク機器に送信するように構成される第２送信ユニットであって、前記第２ハンドオーバ要求メッセージは、前記端末の第１のＵＥ機能情報を運ぶ、第２送信ユニットと、をさらに備える、
請求項１４に記載の端末機能取得装置。
【請求項１６】
前記第１アクセスネットワーク機器が前記第１ハンドオーバ要求メッセージを前記第２アクセスネットワーク機器に送信する前に、前記第２アクセスネットワーク機器が最適化された端末機能をサポートするか否かを示す機能情報を取得するように構成される取得ユニットをさらに備え、
前記第１送信ユニットは、前記第２アクセスネットワーク機器が最適化された端末機能をサポートする場合、前記端末の第１のＵＥ機能識別情報を前記第１ハンドオーバ要求メッセージに運ばせて、前記第２アクセスネットワーク機器に送信するように構成される、
請求項１４または１５に記載の端末機能取得装置。
【請求項１７】
前記第２アクセスネットワーク機器が最適化された端末機能をサポートしない場合、前記端末の第１のＵＥ機能情報を第３ハンドオーバ要求メッセージに運ばせて、前記第２アクセスネットワーク機器に送信するように構成される第３送信ユニットをさらに備える、
請求項１６に記載の端末機能取得装置。
【請求項１８】
前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信される前記端末の第１のＵＥ機能情報を受信する、
請求項１４ないし１７のいずれか一項に記載の端末機能取得装置。
【請求項１９】
前記第２アクセスネットワーク機器がＵＥ機能要求メッセージをコアネットワーク機器または前記端末に送信する場合、前記コアネットワーク機器または前記端末が前記端末の第１のＵＥ機能識別情報、およびＵＥ機能識別情報とＵＥ機能情報との間の対応関係に基づいて前記端末の第１のＵＥ機能情報を決定するように、前記第２アクセスネットワーク機器は、前記ＵＥ機能要求メッセージで前記端末の第１のＵＥ機能識別情報を運ぶ、
請求項１８に記載の端末機能取得装置。
【請求項２０】
前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する、
請求項１４ないし１９のいずれか一項に記載の端末機能取得装置。
【請求項２１】
前記端末によって送信される測定報告を受信し、前記測定報告に基づいて、ハンドオーバされるべき前記第２アクセスネットワーク機器を決定するように構成される第２受信ユニットをさらに備える、
請求項１４ないし２０のいずれか一項に記載の端末機能取得装置。
【請求項２２】
端末機能取得装置であって、
第１アクセスネットワーク機器によって送信される第１ハンドオーバ要求メッセージを受信するように構成される第１受信ユニットであって、前記第１ハンドオーバ要求メッセージは、端末の第１のＵＥ機能識別情報を運ぶ、第１受信ユニットを備える、前記端末機能取得装置。
【請求項２３】
前記第２アクセスネットワーク機器が前記端末の第１のＵＥ機能識別情報を識別できない場合、第１フィードバックメッセージを前記第１アクセスネットワーク機器に送信するように構成される第１送信ユニットであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１送信ユニットと、
前記第１アクセスネットワーク機器によって送信される第２ハンドオーバ要求メッセージを受信し、前記第２ハンドオーバ要求メッセージから前記端末の第１のＵＥ機能情報を取得するように構成される第２受信ユニットであって、前記第２ハンドオーバ要求メッセージは、前記端末の第１のＵＥ機能情報を運ぶ、第２受信ユニットと、をさらに備える、
請求項２２に記載の端末機能取得装置。
【請求項２４】
前記第２アクセスネットワーク機器が前記端末の第１のＵＥ機能識別情報を識別できない場合、ＵＥ機能要求メッセージをコアネットワーク機器または前記端末に送信するように構成される第２送信ユニットと、
前記コアネットワーク機器または前記端末によって送信される前記端末の第１のＵＥ機能情報を受信するように構成される第３受信ユニットと、をさらに備える、
請求項２２または２３に記載の端末機能取得装置。
【請求項２５】
前記第２送信ユニットがＵＥ機能要求メッセージをコアネットワーク機器または前記端末に送信する場合、前記コアネットワーク機器または前記端末が前記端末の第１のＵＥ機能識別情報、およびＵＥ機能識別情報とＵＥ機能情報との間の対応関係に基づいて前記端末の第１のＵＥ機能情報を決定するように、前記第２送信ユニットは、前記ＵＥ機能要求メッセージで前記端末の第１のＵＥ機能識別情報を運ぶ、
請求項２４に記載の端末機能取得装置。
【請求項２６】
前記第２アクセスネットワーク機器が前記端末の第１のＵＥ機能識別情報を識別できる場合、前記第１のＵＥ機能識別情報、およびＵＥ機能識別情報とＵＥ機能情報との間の対応関係に基づいて、前記端末の第１のＵＥ機能情報を決定するように構成される決定ユニットをさらに備える、
請求項２２ないし２５のいずれか一項に記載の端末機能取得装置。
【請求項２７】
コンピュータ実行可能な命令を含むコンピュータ記憶媒体であって、前記コンピュータ実行可能な命令は、プロセッサに、請求項１ないし８のいずれか一項に記載の方法、または請求項９ないし１３のいずれか一項に記載の方法を実行させる、前記コンピュータ記憶媒体。
【発明の詳細な説明】
【技術分野】
【０００１】
本発明は、無線通信技術分野に関し、特に、端末機能取得方法および装置、コンピュータ記憶媒体に関する。
【背景技術】
【０００２】
現在、端末の機能情報（ＵＥ機能情報と略称する）は、登録または登録更新中にアクセスネットワークに報告され、アクセスネットワークは、端末の機能情報をコアネットワークに送信して保存する。端末が接続確立要求または接続回復要求を開始すると、アクセスネットワークは、コアネットワークに端末の機能情報を要求し、その後、前記端末に対応する構成を提供する。
【０００３】
端末がますます多くの特性をサポートするようになることに伴い、端末の機能情報もますます大きくなり、端末の機能情報の伝送に巨大なシグナリングオーバーヘッドを持たせ、同時に、コアネットワークはすべての端末の機能情報保存する必要があり、これもコアネットワークに大きな課題を持たせる。
【０００４】
加えて、端末の移動中にハンドオーバプロセスが発生する。ハンドオーバプロセスにおいて、ターゲットネットワークが最適化された端末機能をサポートできないため、異常なハンドオーバが発生する可能性がある。
【発明の概要】
【発明が解決しようとする課題】
【０００５】
上記の技術的課題を解決するために、本発明の実施例は、端末機能取得方法および装置、コンピュータ記憶媒体を提供する。
【課題を解決するための手段】
【０００６】
本発明の実施例による端末機能取得方法は、
第１アクセスネットワーク機器が、第１ハンドオーバ要求メッセージを第２アクセスネットワーク機器に送信することであって、前記第１ハンドオーバ要求メッセージは、端末の第１のＵＥ機能識別情報を運ぶ、ことを含む。
【０００７】
一実施形態において、前記端末機能取得方法は、
前記第２アクセスネットワーク機器が前記端末の第１のＵＥ機能識別情報を識別できない場合、前記第１アクセスネットワーク機器が、前記第２アクセスネットワーク機器によって送信される第１フィードバックメッセージを受信することであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、ことと、
前記第１アクセスネットワーク機器が、第２ハンドオーバ要求メッセージを前記第２アクセスネットワーク機器に送信することであって、前記第２ハンドオーバ要求メッセージは、前記端末の第１のＵＥ機能情報を運ぶ、ことと、をさらに含む。
【０００８】
一実施形態において、前記端末機能取得方法は、
前記第１アクセスネットワーク機器が、前記第１ハンドオーバ要求メッセージを前記第２アクセスネットワーク機器に送信する前に、前記第１アクセスネットワーク機器が、前記第２アクセスネットワーク機器が最適化された端末機能をサポートするか否かを示す機能情報を取得することと、
前記第２アクセスネットワーク機器が最適化された端末機能をサポートする場合、前記第１アクセスネットワーク機器が、前記端末の第１のＵＥ機能識別情報を前記第１ハンドオーバ要求メッセージに運ばせて、前記第２アクセスネットワーク機器に送信することと、をさらに含む。
【０００９】
一実施形態において、前記端末機能取得方法は、
前記第２アクセスネットワーク機器が最適化された端末機能をサポートしない場合、前記第１アクセスネットワーク機器が、前記端末の第１のＵＥ機能情報を第３ハンドオーバ要求メッセージに運ばせて、前記第２アクセスネットワーク機器に送信することをさらに含む。
【００１０】
一実施形態において、前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信された前記端末の第１のＵＥ機能情報を受信する。
【００１１】
一実施形態において、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００１２】
一実施形態において、前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する。
【００１３】
一実施形態において、前記端末機能取得方法は、
前記第１アクセスネットワーク機器が、前記端末によって送信される測定報告を受信し、前記測定報告に基づいて、ハンドオーバされるべき前記第２アクセスネットワーク機器を決定することをさらに含む。
【００１４】
本発明の実施例による端末機能取得方法は、
第２アクセスネットワーク機器が、第１アクセスネットワーク機器によって送信される第１ハンドオーバ要求メッセージを受信することであって、前記第１ハンドオーバ要求メッセージは、端末の第１のＵＥ機能識別情報を運ぶ、ことを含む。
【００１５】
一実施形態において、前記端末機能取得方法は、
前記第２アクセスネットワーク機器が前記端末の第１のＵＥ機能識別情報を識別できない場合、前記第２アクセスネットワーク機器が、第１フィードバックメッセージを前記第１アクセスネットワーク機器に送信することであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、ことと、
前記第２アクセスネットワーク機器が、前記第１アクセスネットワーク機器によって送信される第２ハンドオーバ要求メッセージを受信し、前記第２ハンドオーバ要求メッセージから前記端末の第１のＵＥ機能情報を取得することであって、前記第２ハンドオーバ要求メッセージは、前記端末の第１のＵＥ機能情報を運ぶ、ことと、をさらに含む。
【００１６】
一実施形態において、前記端末機能取得方法は、
前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信される前記端末の第１のＵＥ機能情報を受信することをさらに含む。
【００１７】
一実施形態において、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００１８】
一実施形態において、前記端末機能取得方法は、
前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定することをさらに含む。
【００１９】
本発明の実施例による端末機能取得装置は、
第１ハンドオーバ要求メッセージを第２アクセスネットワーク機器に送信するように構成される第１送信ユニットであって、前記第１ハンドオーバ要求メッセージは、端末の第１のＵＥ機能識別情報を運ぶ、第１送信ユニットを備える。
【００２０】
一実施形態において、前記端末機能取得装置は、
前記第２アクセスネットワーク機器が前記端末の第１のＵＥ機能識別情報を識別できない場合、前記第２アクセスネットワーク機器によって送信される第１フィードバックメッセージを受信するように構成される第１受信ユニットであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１受信ユニットと、
第２ハンドオーバ要求メッセージを前記第２アクセスネットワーク機器に送信するように構成される第２送信ユニットであって、前記第２ハンドオーバ要求メッセージは、前記端末の第１のＵＥ機能情報を運ぶ、第２送信ユニットと、をさらに備える。
【００２１】
一実施形態において、前記端末機能取得装置は、
前記第１アクセスネットワーク機器が前記第１ハンドオーバ要求メッセージを前記第２アクセスネットワーク機器に送信する前に、前記第２アクセスネットワーク機器が最適化された端末機能をサポートするか否かを示す機能情報を取得するように構成される取得ユニットをさらに備え、
前記第１送信ユニットは、前記第２アクセスネットワーク機器が最適化された端末機能をサポートする場合、前記端末の第１のＵＥ機能識別情報を前記第１ハンドオーバ要求メッセージに運ばせて、前記第２アクセスネットワーク機器に送信するように構成される。
【００２２】
一実施形態において、前記端末機能取得装置は、
前記第２アクセスネットワーク機器が最適化された端末機能をサポートしない場合、前記端末の第１のＵＥ機能情報を第３ハンドオーバ要求メッセージに運ばせて、前記第２アクセスネットワーク機器に送信するように構成される第３送信ユニットをさらに備える。
【００２３】
一実施形態において、前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信された前記端末の第１のＵＥ機能情報を受信する。
【００２４】
一実施形態において、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００２５】
一実施形態において、前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する。
【００２６】
一実施形態において、前記端末機能取得装置は、
前記端末によって送信される測定報告を受信し、前記測定報告に基づいて、ハンドオーバされるべき前記第２アクセスネットワーク機器を決定するように構成される第２受信ユニットをさらに備える。
【００２７】
本発明の実施例による端末機能取得装置は、
第１アクセスネットワーク機器によって送信される第１ハンドオーバ要求メッセージを受信するように構成される第１受信ユニットであって、前記第１ハンドオーバ要求メッセージは、端末の第１のＵＥ機能識別情報を運ぶ、第１受信ユニットを備える。
【００２８】
一実施形態において、前記端末機能取得装置は、
前記第２アクセスネットワーク機器が前記端末の第１のＵＥ機能識別情報を識別できない場合、第１フィードバックメッセージを前記第１アクセスネットワーク機器に送信するように構成される第１送信ユニットであって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１送信ユニットと、
前記第１アクセスネットワーク機器によって送信される第２ハンドオーバ要求メッセージを受信し、前記第２ハンドオーバ要求メッセージから前記端末の第１のＵＥ機能情報を取得するように構成される第２受信ユニットであって、前記第２ハンドオーバ要求メッセージは、前記端末の第１のＵＥ機能情報を運ぶ、第２受信ユニットと、をさらに備える。
【００２９】
一実施形態において、前記端末機能取得装置は、
前記第２アクセスネットワーク機器が前記端末の第１のＵＥ機能識別情報を識別できない場合、ＵＥ機能要求メッセージをコアネットワーク機器または前記端末に送信するように構成される第２送信ユニットと、
前記コアネットワーク機器または前記端末によって送信される前記端末の第１のＵＥ機能情報を受信するように構成される第３受信ユニットと、をさらに備える。
【００３０】
一実施形態において、前記第２送信ユニットがＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２送信ユニットは、前記ＵＥ機能要求メッセージで前記端末の第１のＵＥ機能識別情報を運ぶ。
【００３１】
一実施形態において、前記端末機能取得装置は、
前記第２アクセスネットワーク機器が前記端末の第１のＵＥ機能識別情報を識別できる場合、前記第１のＵＥ機能識別情報、およびＵＥ機能識別情報とＵＥ機能情報との間の対応関係に基づいて、前記端末の第１のＵＥ機能情報を決定するように構成される決定ユニットをさらに備える。
【００３２】
本発明の実施例によるコンピュータ記憶媒体において、コンピュータ実行可能な命令が前記コンピュータ記憶媒体に記憶され、前記コンピュータ実行可能な命令は、プロセッサによって実行されるときに、上記の端末機能取得方法を実現するように構成される。
【発明の効果】
【００３３】
本発明の実施例による技術的解決策において、第１アクセスネットワーク機器は、第１ハンドオーバ要求メッセージを第２アクセスネットワーク機器に送信し、前記第１ハンドオーバ要求メッセージは、端末の第１のＵＥ機能識別情報を運び、前記第２アクセスネットワーク機器が前記端末の第１のＵＥ機能識別情報を識別できない場合、前記第１アクセスネットワーク機器が、前記第２アクセスネットワーク機器によって送信される第１フィードバックメッセージを受信し、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示し、前記第１アクセスネットワーク機器が、第２ハンドオーバ要求メッセージを前記第２アクセスネットワーク機器に送信し、前記第２ハンドオーバ要求メッセージは、前記端末の第１のＵＥ機能情報を運ぶ。本発明の実施例による技術的解決策を採用することにより、ＵＥ機能情報をＵＥ機能識別情報に対応つけ、ハンドオーバプロセス中に、ソースネットワークは、端末のＵＥ機能識別情報をターゲットネットワークに優先的に送信することにより、ターゲットネットワークは、前記ＵＥ機能識別情報に従って対応するＵＥ機能情報を取得でき、ターゲットネットワークが最適化された端末機能をサポートしない場合、即ち、ターゲットネットワークがソースネットワークによって提供されたＵＥ機能識別情報を識別できない場合、ソースネットワークは、端末の機能情報をターゲットネットワークに直接提供する。このようにして、ターゲットネットワークが最適化された端末機能をサポートするか否かに関わらず、端末のＵＥ機能情報を取得することができ、ハンドオーバ失敗を回避し、シグナリングのオーバーヘッドを最小限に抑えることができる。
【図面の簡単な説明】
【００３４】
【図１】５Ｇネットワークのシステムアーキテクチャを示す図である。
【図２】４Ｇネットワークのシステムアーキテクチャを示す図である。
【図３】本発明の実施例による端末機能取得方法の第１の例示的なフローチャートである。
【図４】本発明の実施例による端末機能取得方法の第２の例示的なフローチャートである。
【図５】本発明の実施例による端末機能取得装置の第１の構成の概略図である。
【図６】本発明の実施例による端末機能取得装置の第２の構成の概略図である。
【図７】本発明の実施例によるコンピュータ機器の構成の概略図である。
【発明を実施するための形態】
【００３５】
ここで説明される図面は、更なる理解を提供するために使用され、本出願の一部を構成し、本発明の例示的な実施例およびそれらの説明は、本発明を説明するために使用され、本発明に対する不適切な限定を構成しない。
【００３６】
本出願の実施例は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ロングタームエボリューション（ＬＴＥ：Ｌｏｎｇ  Ｔｅｒｍ  Ｅｖｏｌｕｔｉｏｎ）システムおよびＬＴＥアドバンスト（ＬＴＥ−Ａ：Ａｄｖａｎｃｅｄ  ｌｏｎｇ  ｔｅｒｍ  ｅｖｏｌｕｔｉｏｎ）システムなどの進化型ＬＴＥシステム、ニューラジオ（ＮＲ：ｎｅｗ  ｒａｄｉｏ）システムおよび無認可スペクトル上のＮＲ（ＮＲ−Ｕ：ＮＲ−ｂａｓｅｄ  ａｃｃｅｓｓ  ｔｏ  ｕｎｌｉｃｅｎｓｅｄ  ｓｐｅｃｔｒｕｍ）システムなどの進化型ＮＲシステム、または次世代通信システムなど、様々な通信システムに適用されることができる。
【００３７】
図１は、５Ｇネットワークのシステムアーキテクチャを示す図であり、図１に示されるように、５Ｇネットワークシステムに関する機器は、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、接続及び移動性管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、ポリシ制御機能（ＰＣＦ：Ｐｏｌｉｃｙ  Ｃｏｎｔｒｏｌ  ｆｕｎｃｔｉｏｎ）、アプリケーション機能（ＡＦ：Ａｐｐｌｉｃａｔｉｏｎ  Ｆｕｎｃｔｉｏｎ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、統合データ管理（ＵＤＭ：Ｕｎｉｆｉｅｄ  Ｄａｔａ  Ｍａｎａｇｅｍｅｎｔ）を含む。
【００３８】
図２は、４Ｇネットワークのシステムアーキテクチャを示す図であり、図２に示されるように、４Ｇネットワークシステムに関する機器は、
端末（ＵＥ：Ｕｓｅｒ  Ｅｑｕｉｐｍｅｎｔ）、進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、モビリティ管理エンティティ（ＭＭＥ：  Ｍｏｂｉｌｉｔｙ  Ｍａｎａｇｅｍｅｎｔ  Ｅｎｔｉｔｙ）、サービングＧＰＲＳサポートノード（ＳＧＳＮ：Ｓｅｒｖｉｎｇ  ＧＰＲＳ  Ｓｕｐｐｏｒｔ  Ｎｏｄｅ）、ホーム加入者サーバ（ＨＳＳ：Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ：Ｐａｃｋｅｔ  Ｄａｔａ  Ｎｅｔｗｏｒｋ  Ｇａｔｅｗａｙ）、ポリシ及び課金ルール機能（ＰＣＲＦ：Ｐｏｌｉｃｙ  ａｎｄ  Ｃｈａｒｇｉｎｇ  Ｒｕｌｅｓ  Ｆｕｎｃｔｉｏｎ）を含む。
【００３９】
上記の図１および図２の例は、本発明の実施例を実現するためのネットワークアーキテクチャの例に過ぎず、本発明の実施例は、上記の図１および図２で説明したネットワーク構造に限定されない。
【００４０】
図３は、本発明の実施例による端末機能取得方法の第１の例示的なフローチャートであり、図３に示されるように、前記端末機能取得方法は、以下のステップを含む。
【００４１】
ステップ３０１において、第１アクセスネットワーク機器が、第１ハンドオーバ要求メッセージを第２アクセスネットワーク機器に送信し、前記第１ハンドオーバ要求メッセージは、端末の第１のＵＥ機能識別情報を運ぶ。
【００４２】
本発明の実施例において、第１アクセスネットワーク機器は、サービス端末のソース基地局を指し、第２アクセスネットワーク機器は、サービス端末のターゲット基地局を指す。端末が移動しているとき、ソース基地局からターゲット基地局にハンドオーバされる。この場合、ソース基地局は、第１ハンドオーバ要求メッセージをターゲット基地局に送信し、前記第１ハンドオーバ要求メッセージは、端末の第１のＵＥ機能識別情報を運ぶ。
【００４３】
このステップの前に、前記第１アクセスネットワーク機器が、前記端末によって送信される測定報告を受信し、前記測定報告に基づいて、ハンドオーバされるべき前記第２アクセスネットワーク機器を決定する。
【００４４】
一実施形態において、前記第１アクセスネットワーク機器が、前記第１ハンドオーバ要求メッセージを前記第２アクセスネットワーク機器に送信する前に、前記第１アクセスネットワーク機器が、前記第２アクセスネットワーク機器が最適化された端末機能をサポートするか否かを示す機能情報を取得し、１）前記第２アクセスネットワーク機器が最適化された端末機能をサポートする場合、前記第１アクセスネットワーク機器が、前記端末の第１のＵＥ機能識別情報を前記第１ハンドオーバ要求メッセージに運ばせて、前記第２アクセスネットワーク機器に送信し、２）前記第２アクセスネットワーク機器が最適化された端末機能をサポートしない場合、前記第１アクセスネットワーク機器が、前記端末の第１のＵＥ機能情報を第３ハンドオーバ要求メッセージに運ばせて、前記第２アクセスネットワーク機器に送信する。このようにして、ターゲット基地局がソース基地局によって送信されたハンドオーバ要求メッセージを受信した後、この１回のみの対話で端末のＵＥ機能情報を取得することができる。
【００４５】
本発明の実施例において、前記端末機能取得方法は、ステップ３０２またはステップ３０３をさらに含む。
【００４６】
ステップ３０２において、前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する。
【００４７】
本発明の実施例において、第１のＵＥ機能情報は、端末がサポートするアクセスタイプ（ＲＡＴ：Ｒａｄｉｏ  Ａｃｃｅｓｓ  Ｔｅｃｈｎｏｌｏｇｙ）、端末がサポートする周波数帯域、端末の電力レベル、端末がＣＡ（Ｃａｒｒｉｅｒ  Ａｇｇｒｅｇａｔｉｏｎ）をサポートするか否か、端末がＰＳ（Ｐａｃｋｅｔ  Ｓｗｉｔｃｈｉｎｇ）ハンドオーバをサポートするか否か、端末がサポートするセキュリティアルゴリズムなど、端末がサポートするさまざまな能力を含む。
【００４８】
本発明の実施例において、第１のＵＥ機能識別情報、以下の方式で実装することができる。
【００４９】
前記端末の第１のＵＥ機能識別情報は、前記端末の第１のＵＥ識別情報である。
【００５０】
前記端末の第１のＵＥ機能識別情報は、前記端末の第１のＵＥ識別情報および特定の識別情報基づいて決定された識別情報である。
【００５１】
一実施形態において、前記端末の第１のＵＥ機能識別情報は、前記端末の永続的な識別情報または端末の一時的な識別情報を含む。
【００５２】
一実施形態において、前記端末の第１のＵＥ機能識別情報は、グローバル範囲内、ＰＬＭＮ（Ｐｕｂｌｉｃ  Ｌａｎｄ  Ｍｏｂｉｌｅ  Ｎｅｔｗｏｒｋ）範囲内、コアネットワーク機器範囲内、アクセスネットワーク機器範囲内、登録エリア範囲内の少なくとも１つの範囲内で一意に決定される。さらに、前記ＵＥ機能識別情報とＵＥ機能情報との間の対応関係は、ＰＬＭＮに基づいて決定され、ここで、前記第１アクセスネットワーク機器側または前記第２アクセスネットワーク機器側は、前記端末によって登録または選択された第１のＰＬＭＮに従って、前記第１のＰＬＭＮに対応するＵＥ機能識別情報とＵＥ機能情報との間の対応関係を決定でき、これにより、前記端末の第１のＵＥ機能識別情報に対応する第１のＵＥ機能情報を決定する。
【００５３】
ステップ３０３において、前記第２アクセスネットワーク機器が前記端末の第１のＵＥ機能識別情報を識別できない場合、前記第１アクセスネットワーク機器が、前記第２アクセスネットワーク機器によって送信される第１フィードバックメッセージを受信し、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示し、前記第１アクセスネットワーク機器が、第２ハンドオーバ要求メッセージを前記第２アクセスネットワーク機器に送信し、前記第２ハンドオーバ要求メッセージは、前記端末の第１のＵＥ機能情報を運ぶ。
【００５４】
一実施形態において、前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信される前記端末の第１のＵＥ機能情報を受信する。さらに、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００５５】
本発明の実施例による上記の解決策において、前記第２アクセスネットワーク機器が前記端末の第１のＵＥ機能識別情報を識別できないことは、１）前記第２アクセスネットワーク機器が、前記第１ハンドオーバ要求メッセージから第１のＵＥ機能識別情報を解析して取得できないこと、または、２）前記第２アクセスネットワーク機器が、前記第１ハンドオーバ要求メッセージから第１のＵＥ機能識別情報を解析して取得できるが、前記第１のＵＥ機能識別情報に従って対応するＵＥ機能情報を決定できないことを指す。
【００５６】
図４は、本発明の実施例による端末機能取得方法の第２の例示的なフローチャートであり、図４に示されるように、前記端末機能取得方法は、以下のステップを含む。
【００５７】
ステップ４０１において、第２アクセスネットワーク機器が、第１アクセスネットワーク機器によって送信される第１ハンドオーバ要求メッセージを受信し、前記第１ハンドオーバ要求メッセージは、端末の第１のＵＥ機能識別情報を運ぶ。
【００５８】
本発明の実施例において、第１アクセスネットワーク機器は、サービス端末のソース基地局を指し、第２アクセスネットワーク機器は、サービス端末のターゲット基地局を指す。端末が移動しているとき、ソース基地局からターゲット基地局にハンドオーバされる。この場合、ソース基地局は、第１ハンドオーバ要求メッセージをターゲット基地局に送信し、前記第１ハンドオーバ要求メッセージは、端末の第１のＵＥ機能識別情報を運ぶ。
【００５９】
本発明の実施例において、前記端末機能取得方法は、ステップ４０２またはステップ４０３をさらに含む。
【００６０】
ステップ４０２において、前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する。
【００６１】
本発明の実施例において、第１のＵＥ機能情報は、端末がサポートする無線アクセスタイプ（ＲＡＴ：Ｒａｄｉｏ  Ａｃｃｅｓｓ  Ｔｙｐｅ）、端末がサポートする周波数帯域、端末の電力レベル、端末がＣＡをサポートするか否か、端末がＰＳハンドオーバをサポートするか否か、端末がサポートするセキュリティアルゴリズムなど、端末がサポートするさまざまな能力を含む。
【００６２】
本発明の実施例において、第１のＵＥ機能識別情報、以下の方式で実装することができる。
【００６３】
前記端末の第１のＵＥ機能識別情報は、前記端末の第１のＵＥ識別情報である。
【００６４】
前記端末の第１のＵＥ機能識別情報は、前記端末の第１のＵＥ識別情報および特定の識別情報に基づいて決定された識別情報である。
【００６５】
一実施形態において、前記端末の第１のＵＥ機能識別情報は、前記端末の永続的な識別情報または端末の一時的な識別情報を含む。
【００６６】
一実施形態において、前記端末の第１のＵＥ機能識別情報は、グローバル範囲内、ＰＬＭＮ範囲内、コアネットワーク機器範囲内、アクセスネットワーク機器範囲内、登録エリア範囲内の少なくとも１つの範囲内で一意に決定される。さらに、前記ＵＥ機能識別情報とＵＥ機能情報との間の対応関係は、ＰＬＭＮに基づいて決定され、ここで、前記第１アクセスネットワーク機器側または前記第２アクセスネットワーク機器側は、前記端末によって登録または選択された第１のＰＬＭＮに従って、前記第１のＰＬＭＮに対応するＵＥ機能識別情報とＵＥ機能情報との間の対応関係を決定でき、これにより、前記端末の第１のＵＥ機能識別情報に対応する第１のＵＥ機能情報を決定する。
【００６７】
ステップ４０３において、前記第２アクセスネットワーク機器が前記端末の第１のＵＥ機能識別情報を識別できない場合、前記第２アクセスネットワーク機器が、第１フィードバックメッセージを前記第１アクセスネットワーク機器に送信し、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示し、前記第２アクセスネットワーク機器が、前記第１アクセスネットワーク機器によって送信される第２ハンドオーバ要求メッセージを受信し、前記第２ハンドオーバ要求メッセージは、前記端末の第１のＵＥ機能情報を運び、前記第２ハンドオーバ要求メッセージから前記端末の第１のＵＥ機能情報を取得する。
【００６８】
一実施形態において、前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信される前記端末の第１のＵＥ機能情報を受信する。さらに、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００６９】
本発明の実施例による上記の解決策において、前記第２アクセスネットワーク機器が前記端末の第１のＵＥ機能識別情報を識別できないことは、１）前記第２アクセスネットワーク機器が、前記第１ハンドオーバ要求メッセージから第１のＵＥ機能識別情報を解析して取得できないこと、または、２）前記第２アクセスネットワーク機器が、前記第１ハンドオーバ要求メッセージから第１のＵＥ機能識別情報を解析して取得できるが、前記第１のＵＥ機能識別情報に従って対応するＵＥ機能情報を決定できないことを指す。
【００７０】
図５は、本発明の実施例による端末機能取得装置の第１の構成の概略図であり、図５に示されるように、前記端末機能取得装置は、
第１ハンドオーバ要求メッセージを第２アクセスネットワーク機器に送信するように構成される第１送信ユニット５０１であって、前記第１ハンドオーバ要求メッセージは、端末の第１のＵＥ機能識別情報を運ぶ、第１送信ユニット５０１を備える。
【００７１】
一実施形態において、前記端末機能取得装置は、
前記第２アクセスネットワーク機器が前記端末の第１のＵＥ機能識別情報を識別できない場合、前記第２アクセスネットワーク機器によって送信される第１フィードバックメッセージを受信するように構成される第１受信ユニット５０２であって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１受信ユニット５０２と、
第２ハンドオーバ要求メッセージを前記第２アクセスネットワーク機器に送信するように構成される第２送信ユニット５０３であって、前記第２ハンドオーバ要求メッセージは、前記端末の第１のＵＥ機能情報を運ぶ、第２送信ユニット５０３と、をさらに備える。
【００７２】
一実施形態において、前記端末機能取得装置は、
前記第１アクセスネットワーク機器が前記第１ハンドオーバ要求メッセージを前記第２アクセスネットワーク機器に送信する前に、前記第２アクセスネットワーク機器が最適化された端末機能をサポートするか否かを示す機能情報を取得するように構成される取得ユニット５０４をさらに備え、
前記第１送信ユニット５０１は、前記第２アクセスネットワーク機器が最適化された端末機能をサポートする場合、前記端末の第１のＵＥ機能識別情報を前記第１ハンドオーバ要求メッセージに運ばせて、前記第２アクセスネットワーク機器に送信するように構成される。
【００７３】
一実施形態において、前記端末機能取得装置は、
前記第２アクセスネットワーク機器が最適化された端末機能をサポートしない場合、前記端末の第１のＵＥ機能情報を第３ハンドオーバ要求メッセージに運ばせて、前記第２アクセスネットワーク機器に送信するように構成される第３送信ユニット５０５をさらに備える。
【００７４】
一実施形態において、前記第２アクセスネットワーク機器が前記端末の第１のＵＥ機能識別情報を識別できない場合、前記第２アクセスネットワーク機器が、ＵＥ機能要求メッセージをコアネットワーク機器または前記端末に送信し、前記コアネットワーク機器または前記端末によって送信された前記端末の第１のＵＥ機能情報を受信する。
【００７５】
一実施形態において、前記第２アクセスネットワーク機器がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２アクセスネットワーク機器は、前記ＵＥ機能要求メッセージで前記端末の第１のＵＥ機能識別情報を運ぶ。
【００７６】
一実施形態において、前記第２アクセスネットワーク機器が前記端末の第１のＵＥ機能識別情報を識別できる場合、前記第２アクセスネットワーク機器が、前記第１のＵＥ機能識別情報、およびＵＥ機能識別情報とＵＥ機能情報との間の対応関係に基づいて、前記端末の第１のＵＥ機能情報を決定する。
【００７７】
一実施形態において、前記端末機能取得装置は、
前記端末によって送信される測定報告を受信し、前記測定報告に基づいて、ハンドオーバされるべき前記第２アクセスネットワーク機器を決定するように構成される第２受信ユニット５０６をさらに備える。
【００７８】
当業者は、図５に示される端末機能取得装置の各ユニットの実現機能が、前述の端末機能取得方法に関する説明を参照することによって理解され得ることを理解されたい。図５に示される端末機能取得装置の各ユニットの機能は、プロセッサで実行されるプログラムによって実現されてもよく、具体的な論理回路によって実現されてもよい。
【００７９】
図６は、本発明の実施例による端末機能取得装置の第２の構成の概略図であり、図６に示されるように、前記端末機能取得装置は、
第１アクセスネットワーク機器によって送信される第１ハンドオーバ要求メッセージを受信するように構成される第１受信ユニット６０１であって、前記第１ハンドオーバ要求メッセージは、端末の第１のＵＥ機能識別情報を運ぶ、第１受信ユニット６０１を備える。
【００８０】
一実施形態において、前記端末機能取得装置は、
前記第２アクセスネットワーク機器が前記端末の第１のＵＥ機能識別情報を識別できない場合、第１フィードバックメッセージを前記第１アクセスネットワーク機器に送信するように構成される第１送信ユニット６０２であって、前記第１フィードバックメッセージは、ハンドオーバ拒否またはハンドオーバ失敗を示し、前記第１フィードバックメッセージは、原因パラメータを運び、前記原因パラメータは、前記第２アクセスネットワーク機器が最適化された端末機能をサポートしないことを示す、第１送信ユニット６０２と、
前記第１アクセスネットワーク機器によって送信される第２ハンドオーバ要求メッセージを受信し、前記第２ハンドオーバ要求メッセージから前記端末の第１のＵＥ機能情報を取得するように構成される第２受信ユニット６０３であって、前記第２ハンドオーバ要求メッセージは、前記端末の第１のＵＥ機能情報を運ぶ、第２受信ユニット６０３と、をさらに備える。
【００８１】
一実施形態において、前記端末機能取得装置は、
前記第２アクセスネットワーク機器が前記端末の第１のＵＥ機能識別情報を識別できない場合、ＵＥ機能要求メッセージをコアネットワーク機器または前記端末に送信するように構成される第２送信ユニット６０４と、
前記コアネットワーク機器または前記端末によって送信される前記端末の第１のＵＥ機能情報を受信するように構成される第３受信ユニット６０５と、をさらに備える。
【００８２】
一実施形態において、前記第２送信ユニット６０４がＵＥ機能要求メッセージをコアネットワーク機器または前記端末に送信する場合、前記コアネットワーク機器または前記端末が、前記端末の第１のＵＥ機能識別情報、およびＵＥ機能識別情報とＵＥ機能情報との間の対応関係に基づいて、前記端末の第１のＵＥ機能情報を決定するように、前記第２送信ユニット６０４は、前記ＵＥ機能要求メッセージで前記端末の第１のＵＥ機能識別情報を運ぶ。
【００８３】
一実施形態において、前記端末機能取得装置は、
前記第２アクセスネットワーク機器が前記端末の第１のＵＥ機能識別情報を識別できる場合、前記第１のＵＥ機能識別情報、およびＵＥ機能識別情報とＵＥ機能情報との間の対応関係に基づいて、前記端末の第１のＵＥ機能情報を決定するように構成される決定ユニット（図示せず）をさらに備える。
【００８４】
当業者は、図６に示される端末機能取得装置の各ユニットの実現機能が、前述の端末機能取得方法に関する説明を参照することによって理解され得ることを理解されたい。図６に示される端末機能取得装置の各ユニットの機能は、プロセッサで実行されるプログラムによって実現されてもよく、特定の論理回路によって実現されてもよい。
【００８５】
本発明の実施例による端末機能取得装置がソフトウェア機能モジュールの形で実装され、スタンドアロン製品として販売または使用される場合、前記ソフトウェア機能モジュールは、コンピュータ可読記憶媒体に記憶されることもできる。このような理解に基づいて、本発明の実施例の技術的解決策の本質的な部分、即ち先行技術に貢献のある部分は、ソフトウェア製品の形で具現されることができ、前記コンピュータソフトウェア製品は、１つの記憶媒体に記憶され、一台のコンピュータ機器（パーソナルコンピュータ、サーバ、またはネットワーク機器などであリ得る）に本発明の各実施例に記載の方法の全部または一部を実行させるためのいくつかの命令を含む。前述の記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなど、プログラムコードを記憶することができる様々な媒体を含む。このように、本発明の実施例は、いずれかのハードウェアおよびソフトウェアの特定の組み合わせに限定されない。
【００８６】
これに対して、本発明の実施例は、コンピュータ実行可能な命令が記憶されたコンピュータ記憶媒体をさらに提供し、前記コンピュータ実行可能な命令は、プロセッサによって実行されるときに、本発明の実施例による端末機能取得方法を実現するように構成される。
【００８７】
図７は、本発明の実施例のコンピュータ機器の構成の概略図であり、前記コンピュータ機器は、端末であり得る。図７に示されるように、コンピュータ機器１００は、１つまたは複数（図には１つのみを示す）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、これらに限定されない）と、データを記憶するためのメモリ１００４と、通信機能用伝送装置１００６と、を備えることができる。当業者は、図７に示される構造が単なる例示であって、前述の電子装置の構造を限定しないことを理解することができる。例えば、コンピュータ機器１００はまた、図７に示されるものより多いまたは少ないコンポ―ネットを含み得るか、または図７に示されるものとは異なる構成を有し得る。
【００８８】
メモリ１００４は、本発明の実施例における方法に対応するプログラム命令／モジュールなどのアプリケーションソフトウェアのソフトウェアプログラムおよびモジュールを記憶するように構成されることができ、プロセッサ１００２は、メモリ１００４に記憶されたソフトウェアプログラムおよびモジュールを実行することによって、様々な機能アプリケーションおよびデータ処理を実行し、即ち、前記方法を実現する。メモリ１００４は、高速ランダムメモリを含むことができ、１つまたは複数の磁気記憶装置、フラッシュメモリ、または他の不揮発性ソリッドステートメモリなどの不揮発性メモリを含むこともできる。いくつかの例では、メモリ１００４は、プロセッサ１００２に対してリモートで設定されたメモリをさらに含むことができ、これらのリモートメモリは、ネットワークを介してコンピュータ機器１００に接続されることができる。上記のネットワークの例には、インターネット、イントラネット、ローカルエリアネットワーク、モバイル通信ネットワーク、およびそれらの組み合わせが含まれるが、これらに限定されない。
【００８９】
伝送装置１００６は、ネットワークを介してデータを送受信するために使用される。上記ネットワークの具体例は、コンピュータ機器１００の通信事業者が提供する無線ネットワークを含むことができる。一例では、伝送装置１００６は、基地局を介して他のネットワーク機器に接続することができ、これにより、インターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。一例では、伝送装置１００６は、無線方式でインターネットと通信するために使用される無線周波数（ＲＦ：Ｒａｄｉｏ  Ｆｒｅｑｕｅｎｃｙ）ユニットであり得る。
【００９０】
本発明の実施例で説明された技術的解決策は、競合しない場合、任意に組み合わせることができる。
【００９１】
本発明によって提供されるいくつかの実施例では、開示された方法およびスマート機器は、他の方法で実現され得ることを理解されたい。上記で説明された機器の実施例は単なる例示的なものであり、例えば、前記ユニットの分割は、論理的な機能の分割に過ぎない。実際の実現では、別の分割方法が存在でき、例えば、複数のユニットまたはコンポーネントを組み合わせるか別のシステムに統合することができ、または一部の特徴を無視するか実行しないことができる。なお、表示または議論される各構成要素間の相互結合または直接結合または通信接続は、いくつかのインターフェース、機器またはユニットを介した間接な結合または通信接続であり得、電気的、機械的または他の形であり得る。
【００９２】
前記分離部材として説明されたユニットは、物理的に分離されてもされていなくてもよく、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を実現することができる。
【００９３】
なお、本発明の各実施例における各機能ユニットは、すべて１つの第２処理ユニットに統合されてもよく、各ユニットが個別に１つのユニットとして使用されてもよく、２つ以上のユニットが１つのユニットに統合されてもよい。前記統合されたユニットは、ハードウェアの形で、またはハードウェアとソフトウェア機能ユニットの組み合わせの形で具現することができる。
【００９４】
上記の内容は、本発明の具体的な実施形態に過ぎず、本発明の保護範囲はこれに限定されず、当業者は、本発明に開示された技術的範囲内で容易に想到し得る変更または置換は、すべて本発明の保護範囲内に含まれるべきである。
【図１】
2021525978.tif 000003
【図２】
2021525978.tif 000004
【図３】
2021525978.tif 000005
【図４】
2021525978.tif 000006
【図５】
2021525978.tif 000007
【図６】
2021525978.tif 000008
【図７】
2021525978.tif 000009
【国際調査報告】
2021525978.tif 000010
2021525978.tif 000011
2021525978.tif 000012
2021525978.tif 000013